【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてアレイアンテナの角度範囲にわたってデータを送信するための方法であって、
２つの並列信号を生成することと、前記並列信号の各々は、前記データに関連付けられる、
アレイアンテナのアレイ素子の第１のセットから第１のサブアレイを形成することと、
前記アレイアンテナのアレイ素子の第２のセットから第２のサブアレイを形成することと、
前記第１のサブアレイのためにビームフォーミング重みの第１のセット、および前記第２のサブアレイのためにビームフォーミング重みの第２のセットを選択することと、前記選択されたビームフォーミング重みは、前記第１のサブアレイの電力放射パターンを前記アレイアンテナの前記角度範囲にわたって前記第２のサブアレイの電力放射パターンに対して補完的にさせ、前記選択されたビームフォーミング重みは、ビームフォーミング重みの計算される数をビームフォーミング重みの最初のセットからビームフォーミング重みの所望の数に増大させる反復計算を含む再帰的関係に少なくとも部分的に基づき、ビームフォーミング重みの前記所望の数は、前記それぞれのサブアレイにおける素子の数に等しい、
前記ビームフォーミング重みの第１のセットにしたがって、前記並列信号の第１のものを前記アレイアンテナの前記角度範囲にわたって前記第１のサブアレイを介して送信することと、
前記ビームフォーミング重みの第２のセットにしたがって、前記並列信号の第２のものを前記アレイアンテナの前記角度範囲にわたって前記第２のサブアレイを介して送信することと
を備える、方法。
【請求項２】
前記反復計算の各繰り返しは、初期数のビームフォーミング重みから始まり、前記初期数の２倍のビームフォーミング重みを計算する、請求項１に記載の方法。
【請求項３】
前記データは、制御チャネルを備える、請求項１に記載の方法。
【請求項４】
前記２つの並列信号を生成することは、空間周波数ブロック符号（ＳＦＢＣ）に少なくとも部分的に基づき、前記ＳＦＢＣは、アラムーチ符号に少なくとも部分的に基づく、請求項１に記載の方法。
【請求項５】
前記第１のサブアレイの前記電力放射パターンと、前記第２のサブアレイの前記電力放射パターンの合計は、前記アレイアンテナの前記角度範囲にわたって一定である、請求項１に記載の方法。
【請求項６】
前記アレイ素子の第１のセットおよび前記アレイ素子の第２のセットは、同じ素子パターンを備える、請求項１に記載の方法。
【請求項７】
前記第１のサブアレイ、または前記第２のサブアレイのうちの少なくとも１つのアレイ素子は、前記アレイアンテナの前記角度範囲にわたって無指向性である、請求項１に記載の方法。
【請求項８】
前記アレイアンテナは、等間隔リニアアレイアンテナである、請求項１に記載の方法。
【請求項９】
前記再帰的関係は、少なくとも１つの設計パラメータ値に少なくとも部分的に基づく、請求項１に記載の方法。
【請求項１０】
前記少なくとも１つの設計パラメータ値は、１つまたは複数の送信条件に少なくとも部分的に基づく、請求項９に記載の方法。
【請求項１１】
前記第１のサブアレイのための前記ビームフォーミング重みの第１のセット、および前記第２のサブアレイのための前記ビームフォーミング重みの第２のセットを更新すること、をさらに備え、前記更新することは、前記少なくとも１つの設計パラメータ値の更新に少なくとも部分的に基づく、請求項９に記載の方法。
【請求項１２】
ワイヤレス通信システムにおいてアレイアンテナの角度範囲にわたってデータを送信するための装置であって、
２つの並列信号を生成するための手段と、前記並列信号の各々は、前記データに関連付けられる、
アレイアンテナのアレイ素子の第１のセットから第１のサブアレイを形成するための手段と、
前記アレイアンテナのアレイ素子の第２のセットから第２のサブアレイを形成するための手段と、
前記第１のサブアレイのためにビームフォーミング重みの第１のセット、および前記第２のサブアレイのためにビームフォーミング重みの第２のセットを選択するための手段と、前記選択されたビームフォーミング重みは、前記第１のサブアレイの電力放射パターンを前記アレイアンテナの前記角度範囲にわたって前記第２のサブアレイの電力放射パターンに対して補完的にさせ、前記選択されたビームフォーミング重みは、ビームフォーミング重みの計算される数をビームフォーミング重みの最初のセットからビームフォーミング重みの所望の数に増大させる反復計算を含む再帰的関係に少なくとも部分的に基づき、ビームフォーミング重みの前記所望の数は、前記それぞれのサブアレイにおける素子の数に等しい、
前記ビームフォーミング重みの第１のセットにしたがって、前記並列信号の第１のものを前記アレイアンテナの前記角度範囲にわたって前記第１のサブアレイを介して送信するための手段と、
前記ビームフォーミング重みの第２のセットにしたがって、前記並列信号の第２のものを前記アレイアンテナの前記角度範囲にわたって前記第２のサブアレイを介して送信するための手段と
を備える、装置。
【請求項１３】
前記データは、制御チャネルを備える、請求項１２に記載の装置。
【請求項１４】
前記２つの並列信号を前記生成するための手段は、空間周波数ブロック符号（ＳＦＢＣ）に少なくとも部分的に基づいて動作可能であり、前記ＳＦＢＣは、アラムーチ符号に少なくとも部分的に基づく、請求項１２に記載の装置。
【請求項１５】
前記第１のサブアレイの前記電力放射パターンと、前記第２のサブアレイの前記電力放射パターンの合計は、前記アレイアンテナの前記角度範囲にわたって一定である、請求項１２に記載の装置。
【請求項１６】
前記アレイ素子の第１のセットおよび前記アレイ素子の第２のセットは、同じ素子パターンを備える、請求項１２に記載の装置。
【請求項１７】
前記アレイアンテナは、等間隔リニアアレイアンテナである、請求項１２に記載の装置。
【請求項１８】
前記再帰的関係は、少なくとも１つの設計パラメータ値に少なくとも部分的に基づく、請求項１２に記載の装置。
【請求項１９】
前記少なくとも１つの設計パラメータ値は、１つまたは複数の送信条件に少なくとも部分的に基づく、請求項１８に記載の装置。
【請求項２０】
前記第１のサブアレイのための前記ビームフォーミング重みの第１のセット、および前記第２のサブアレイのための前記ビームフォーミング重みの第２のセットを更新するための手段、をさらに備え、前記更新することは、前記少なくとも１つの設計パラメータ値の更新に少なくとも部分的に基づく、請求項１８に記載の装置。
【請求項２１】
ワイヤレス通信システムにおいてアレイアンテナの角度範囲にわたってデータを送信するための装置であって、
プロセッサと、
前記プロセッサと電子通信状態にあるメモリと、
前記メモリに記憶された命令と、
を備え、前記命令は、
２つの並列信号を生成することと、前記並列信号の各々は、前記データに関連付けられる、
アレイアンテナのアレイ素子の第１のセットから第１のサブアレイを形成することと、
前記アレイアンテナのアレイ素子の第２のセットから第２のサブアレイを形成することと、
前記第１のサブアレイのためにビームフォーミング重みの第１のセット、および前記第２のサブアレイのためにビームフォーミング重みの第２のセットを、選択することと、前記選択されたビームフォーミング重みは、前記第１のサブアレイの電力放射パターンを前記アレイアンテナの前記角度範囲にわたって前記第２のサブアレイの電力放射パターンに対して補完的にさせ、前記選択されたビームフォーミング重みは、ビームフォーミング重みの計算される数をビームフォーミング重みの最初のセットからビームフォーミング重みの所望の数に増大させる反復計算を含む再帰的関係に少なくとも部分的に基づき、ビームフォーミング重みの前記所望の数は、前記それぞれのサブアレイにおける素子の数に等しい、
前記ビームフォーミング重みの第１のセットにしたがって、前記並列信号の第１のものを前記アレイアンテナの前記角度範囲にわたって前記第１のサブアレイを介して送信することと、
前記ビームフォーミング重みの第２のセットにしたがって、前記並列信号の第２のものを前記アレイアンテナの前記角度範囲にわたって前記第２のサブアレイを介して送信することと
を前記プロセッサによって実行可能である、装置。
【請求項２２】
前記命令は、
空間周波数ブロック符号（ＳＦＢＣ）に少なくとも部分的に基づいて前記２つの並列信号を生成すること、を前記プロセッサによって実行可能であり、前記ＳＦＢＣは、アラムーチ符号に少なくとも部分的に基づく、請求項２１に記載の装置。
【請求項２３】
前記再帰的関係は、少なくとも１つの設計パラメータ値に少なくとも部分的に基づく、請求項２１に記載の装置。
【請求項２４】
前記少なくとも１つの設計パラメータ値は、１つまたは複数の送信条件に少なくとも部分的に基づく、請求項２３に記載の装置。
【請求項２５】
前記命令は、
前記第１のサブアレイのための前記ビームフォーミング重みの第１のセット、および前記第２のサブアレイのための前記ビームフォーミング重みの第２のセットを更新すること、を前記プロセッサによって実行可能であり、前記更新することは、前記少なくとも１つの設計パラメータ値の更新に少なくとも部分的に基づく、請求項２３に記載の装置。
【請求項２６】
ワイヤレス通信システムにおいてアレイアンテナの角度範囲にわたってデータを送信するためのコンピュータプログラム製品であって、前記コンピュータプログラム製品は、
２つの並列信号を生成することと、前記並列信号の各々は、前記データに関連付けられる、
アレイアンテナのアレイ素子の第１のセットから第１のサブアレイを形成することと、
前記アレイアンテナのアレイ素子の第２のセットから第２のサブアレイを形成することと、
前記第１のサブアレイのためにビームフォーミング重みの第１のセット、および前記第２のサブアレイのためにビームフォーミング重みの第２のセットを、選択することと、前記選択されたビームフォーミング重みは、前記第１のサブアレイの電力放射パターンを前記アレイアンテナの前記角度範囲にわたって前記第２のサブアレイの電力放射パターンに対して補完的にさせ、前記選択されたビームフォーミング重みは、ビームフォーミング重みの計算される数をビームフォーミング重みの最初のセットからビームフォーミング重みの所望の数に増大させる反復計算を含む再帰的関係に少なくとも部分的に基づき、ビームフォーミング重みの前記所望の数は、前記それぞれのサブアレイにおける素子の数に等しい、
前記ビームフォーミング重みの第１のセットにしたがって、前記並列信号の第１のものを前記アレイアンテナの前記角度範囲にわたって前記第１のサブアレイを介して送信することと、
前記ビームフォーミング重みの第２のセットにしたがって、前記並列信号の第２のものを前記アレイアンテナの前記角度範囲にわたって前記第２のサブアレイを介して送信することと
をプロセッサによって実行可能である命令を記憶する、非一時的なコンピュータ可読媒体を備える、コンピュータプログラム製品。
【請求項２７】
前記命令は、
空間周波数ブロック符号（ＳＦＢＣ）に少なくとも部分的に基づいて前記２つの並列信号を生成すること、を前記プロセッサによって実行可能であり、前記ＳＦＢＣは、アラムーチ符号に少なくとも部分的に基づく、請求項２６に記載のコンピュータプログラム製品。
【請求項２８】
前記再帰的関係は、少なくとも１つの設計パラメータ値に少なくとも部分的に基づく、請求項２６に記載のコンピュータプログラム製品。
【請求項２９】
前記少なくとも１つの設計パラメータ値は、１つまたは複数の送信条件に少なくとも部分的に基づく、請求項２８に記載のコンピュータプログラム製品。
【請求項３０】
前記命令は、
前記第１のサブアレイのための前記ビームフォーミング重みの第１のセット、および前記第２のサブアレイのための前記ビームフォーミング重みの第２のセットを更新すること、を前記プロセッサによって実行可能であり、前記更新することは、前記少なくとも１つの設計パラメータ値の更新に少なくとも部分的に基づく、請求項２８に記載のコンピュータプログラム製品。